(57)【要約】【課題】検像装置側においてモダリティによる医用画像の送信忘れの検出、及び、医用画像の送信忘れの通知を可能とし、モダリティによる医用画像の送信忘れの防止を図り得る検像装置及び検像システムを提供すること。【解決手段】オーダ情報ｄ１とオーダ情報ｄ１に基づいて撮影された医用画像ｄ２との整合性、及び、医用画像ｄ２の画質が診断において許容範囲内であるか否かをチェックするための検像装置３において、外部装置からオーダ情報ｄ１、医用画像ｄ２を受信する通信部３４と、オーダ情報ｄ１に基づいて撮影された医用画像ｄ２を受信したか否かを判断し、オーダ情報ｄ１に基づいて撮影された医用画像ｄ２を受信しない場合、オーダ情報ｄ１に基づいて医用画像ｄ２を撮影する外部装置を特定し、当該特定した外部装置へ連絡情報を送信させる制御部３１と、を備える検像装置３。【選択図】図５
2012133423.tif 000002
【特許請求の範囲】
【請求項１】
オーダ情報と当該オーダ情報に基づいて撮影された医用画像との整合性、及び、当該オーダ情報に基づいて撮影された医用画像の画質が診断において許容範囲内であるか否かをチェックするための検像装置において、
外部装置から、前記オーダ情報、当該オーダ情報に基づいて撮影された医用画像を受信する通信部と、
前記通信部から受信した前記オーダ情報に基づいて撮影された医用画像を受信したか否かを判断し、前記オーダ情報に基づいて撮影された医用画像を受信しない場合、当該オーダ情報に基づいて医用画像を撮影する外部装置を特定し、当該特定した外部装置へ医用画像の送信忘れに関する情報を前記通信部により送信させる制御部と、
を備えること、を特徴とする検像装置。
【請求項２】
前記オーダ情報は、
前記医用画像を撮影する外部装置の識別情報を含み、
前記制御部は、
前記識別情報に基づいて医用画像を撮影する外部装置を特定し、当該特定した外部装置へ医用画像の送信忘れに関する情報を前記通信部により送信させること、
を特徴とする請求項１に記載の検像装置。
【請求項３】
前記制御部は、
前記オーダ情報を受信したとき、又は、前記オーダ情報が生成されたとき、から予め設定された時間が経過しても前記オーダ情報に基づいて撮影された医用画像を受信しない場合、前記特定した外部装置へ医用画像の送信忘れに関する情報を前記通信部により送信させること、
を特徴とする請求項１又は２に記載の検像装置。
【請求項４】
前記医用画像の送信忘れに関する情報を前記通信部により送信させるか否かの情報を受け付ける入力部を備え、
前記制御部は、
前記入力部により受け付けられた送信させるか否かの情報に応じて、前記医用画像の送信忘れに関する情報を前記通信部により送信すること、
を特徴とする請求項１から３のいずれか一項に記載の検像装置。
【請求項５】
前記医用画像の送信忘れに関する情報を表示する表示部を備えること、
を特徴とする請求項１から４のいずれか一項に記載の検像装置。
【請求項６】
オーダ情報及び当該オーダ情報に基づいて撮影された医用画像を送信する情報処理システムと、前記オーダ情報と前記医用画像との整合性、及び、前記医用画像の画質が診断において許容範囲内であるか否かをチェックするための検像装置と、を含む検像システムにおいて、
前記検像装置は、
前記情報処理システムから、前記オーダ情報、当該オーダ情報に基づいて撮影された医用画像を受信する通信部と、
前記通信部から受信した前記オーダ情報に基づいて撮影された医用画像を受信したか否かを判断し、前記オーダ情報に基づいて撮影された医用画像を受信しない場合、当該オーダ情報に基づいて医用画像を撮影する前記情報処理システムを特定し、当該特定した前記情報処理システムへ医用画像の送信忘れに関する情報を前記通信部により送信させる制御部と、を有すること、
を特徴とする検像システム。
【請求項７】
前記情報処理システムは、
前記医用画像をＤＩＣＯＭ通信により前記検像装置に送信すること、
を特徴とする請求項６に記載の検像システム。
【請求項８】
前記情報処理システムは、
前記オーダ情報を検像装置に送信するＲＩＳと、
前記医用画像を検像装置に送信するモダリティと、
から構成されること、
を特徴とする請求項６又は７に記載の検像システム。
【発明の詳細な説明】
【技術分野】
【０００１】
本発明は、検像装置及び検像システムに関する。
【背景技術】
【０００２】
病院や診療所では、モダリティを用いた検査が行われる。「モダリティ」とは、例えばＸ線撮影装置、ＭＲＩ撮影装置、ＣＴ撮影装置等の医療装置をいう。通常、モダリティは、撮影業務を専門に行う技師により操作され、撮影専門の技師の操作により患者を撮影して医用画像を生成する。撮影により生成された医用画像は、この後、検像装置に送信される。
【０００３】
「検像装置」とは、モダリティにより撮影された医用画像を画面上に表示して検像するための装置である。「検像」とは、（１）画面上に表示された医用画像が診断において許容される範囲内であるか否かチェックすること、又は、許容範囲内でない場合にはそれを修正すること、（２）画像に付帯された情報の真正性を確認し、問題があった時修正を行うことをいう。「真正性」とは、医師の依頼内容、検査の予約内容、検査の実施内容、検査を受けた患者の情報などは何れも正確であることをいう。
【０００４】
検像が行われる場所は、ダブルチェックによる安全確保、情報に関する責任の所在、画質の再現性確保等の観点から、モダリティによる撮影が行われる場所とは異なる場所であることが望ましく、また異なる場所であるのが一般的である。すなわち、多くの病院や診療所では、撮影室にて撮影専門の技師によりモダリティによる撮影が行われ、撮影により生成された医用画像はネットワークを介して撮影室とは異なる場所に設置された検像装置に集中送信される。そして、そこで検像専門の技師により検像が行われることになる。
【０００５】
検像専門の技師は、迅速かつ適切に、例えば医用画像の画質低下についてチェックし、画質低下があった場合にはそれが通常の診断において許容できる範囲内か否かチェックし、許容範囲内でない場合には撮影専門の技師に対して再度の撮影を依頼するか、或いは許容範囲内になるよう画像処理等を施す。
【０００６】
診断において許容範囲内であると判断された、又は許容範囲内になるよう画像処理が施された検像済み医用画像は、画像管理装置に送信され、その後医師による診断に供されることになる。なお、ここでいう画像管理装置は一般に、ＰＡＣＳ（Picture Archiving and Communication System）と呼ばれる。
【０００７】
このようなシステムでは、モダリティにより撮影された医用画像が確実にＰＡＣＳへ送信されることが必要となる。医用画像の送信忘れが生じると、当該医用画像がＰＡＣＳへ送信されず、ＰＡＣＳを用いた画像診断を行なうことができないため、患者が長時間診察を待つという問題が発生する。
【０００８】
医用画像の送信元での送信忘れを防止する技術として、特許文献１には、検査単位で複数画像を送信する場合、入力画像を停留画像として格納し、停留画像と新たに入力される入力画像との各々に設定されている付帯情報の照合を行い、異なる場合に停留画像を出力する画像送信処理が開示されている。
【先行技術文献】
【特許文献】
【０００９】
【特許文献１】特開２００２−１７１３７６号公報
【発明の概要】
【発明が解決しようとする課題】
【００１０】
しかしながら、特許文献１に記載の技術は、検像装置によるＰＡＣＳへの医用画像の送信忘れを防止するものである。モダリティによる検像装置への医用画像の送信忘れを防止するために、検像装置へ医用画像を送信する全てのモダリティが、特許文献１に記載の技術を備えることは現実的ではない。また、特許文献１に記載の技術では、医用画像を受信する検像装置において、モダリティによる医用画像の送信忘れを防止することはできない。
【００１１】
従って、モダリティにより撮影された医用画像が検像装置へ確実に送信されることが必要となる。しかし、撮影専門の技師が、撮影が終了したにもかかわらず医用画像を送信し忘れることがあるため、依然として医用画像がＰＡＣＳへ送信されないという問題が発生している。
【００１２】
本発明の課題は、検像装置側においてモダリティによる医用画像の送信忘れの検出、及び、医用画像の送信忘れの通知を可能とし、モダリティによる医用画像の送信忘れの防止を図り得る検像装置及び検像システムを提供することである。
【課題を解決するための手段】
【００１３】
本発明によれば、オーダ情報と当該オーダ情報に基づいて撮影された医用画像との整合性、及び、当該オーダ情報に基づいて撮影された医用画像の画質が診断において許容範囲内であるか否かをチェックするための検像装置において、外部装置から、前記オーダ情報、当該オーダ情報に基づいて撮影された医用画像を受信する通信部と、前記通信部から受信した前記オーダ情報に基づいて撮影された医用画像を受信したか否かを判断し、前記オーダ情報に基づいて撮影された医用画像を受信しない場合、当該オーダ情報に基づいて医用画像を撮影する外部装置を特定し、当該特定した外部装置へ医用画像の送信忘れに関する情報を前記通信部により送信させる制御部と、を備える検像装置が提供される。
【００１４】
本発明によれば、オーダ情報及び当該オーダ情報に基づいて撮影された医用画像を送信する情報処理システムと、前記オーダ情報と前記医用画像との整合性、及び、前記医用画像の画質が診断において許容範囲内であるか否かをチェックするための検像装置と、を含む検像システムにおいて、前記検像装置は、前記情報処理システムから、前記オーダ情報、当該オーダ情報に基づいて撮影された医用画像を受信する通信部と、前記通信部から受信した前記オーダ情報に基づいて撮影された医用画像を受信したか否かを判断し、前記オーダ情報に基づいて撮影された医用画像を受信しない場合、当該オーダ情報に基づいて医用画像を撮影する前記情報処理システムを特定し、当該特定した前記情報処理システムへ医用画像の送信忘れに関する情報を前記通信部により送信させる制御部と、を有する検像システムが提供される。
【発明の効果】
【００１５】
本発明によれば、受信したオーダ情報に基づいて撮影された医用画像を受信しない場合、当該オーダ情報に基づいて医用画像を撮影する外部装置を特定でき、当該特定した外部装置へ医用画像の送信忘れに関する情報を送信することができる。そのため、検像装置側において外部装置による医用画像の送信忘れの検出、及び、医用画像の送信忘れの通知が可能となり、外部装置による医用画像の送信忘れの防止を図り得る検像装置及び検像システムを提供することができる。
【図面の簡単な説明】
【００１６】
【図１】検像システムの全体構成を示す図である。
【図２】検像装置の画面に表示される「医用画像の送信忘れの検出条件に関する情報」の一例を示す図である。
【図３】検像装置の画面に表示される連絡先情報の一例を示す図である。
【図４】検像装置の機能ブロック図である。
【図５】検像装置の送信忘れチェック処理を示す図である。
【図６】検像装置に表示されるオーダ情報一覧画面の例を示す図である。
【図７】連絡情報を受信した装置に表示される連絡情報画面の例を示す図である。
【発明を実施するための形態】
【００１７】
本実施形態における検像装置又は検像システムの構成及び動作について、図面を用いて詳細に説明する。なお、本実施形態は本発明の一例に過ぎず、本発明はこれに限定されるものではない。
【００１８】
図１に、検像システム１０の全体構成を示す。
検像システム１０は、ＲＩＳ１、モダリティ２、検像装置３、ＰＡＣＳ４等を備えて構成される。各装置（１〜４）はＬＡＮやＷＡＮにより通信可能に接続されており、通信規格は例えばＨＬ７（Health Level 7）又はＤＩＣＯＭ（Digital Imaging and Communication in Medicine）等が採用される。
【００１９】
ＲＩＳ１は、患者情報又は検査情報を登録して一元管理し、登録された患者情報又は検査情報をオーダ情報ｄ１としてモダリティ２又は検像装置３に送信するための端末である。なお、「ＲＩＳ」とは、本来、「Radiology Information System」の略であり放射線情報システムを意味するが、ここでは放射線情報システムを利用して患者情報又は検査情報を一元管理する端末として説明する。
【００２０】
「患者情報」とは、患者に関する情報であり、例えば患者ＩＤ、氏名、性別、生年月日等が含まれる。また、「検査情報」とは、検査に関する情報であり、例えば、検査ＩＤ、ステーションＡＥ（Application Entity）等を含むモダリティ情報、検査日、検査時刻、受付番号、担当医師、検査種類、検査条件（検査部位、側性（左、右）、方向（例えば、上下方向（ＣＣ）、斜位方向（ＭＬＯ））、施設等が含まれる。
ステーションＡＥとは、モダリティを識別する識別情報であり、装置の世代や製造メーカ毎に異なる値（シリアル番号）等の装置名である。
【００２１】
以下の説明では、ＲＩＳ１により一元管理される患者情報又は検査情報を総称して「オーダ情報」と表現する。なお、オーダ情報は、図示しない受付端末からＨＩＳ（Hospital Information System）によりＲＩＳ１に送信されるか、或いはＲＩＳ１にて撮影専門の技師に直接入力される。ＲＩＳ１に送信又は入力されたオーダ情報には、ＲＩＳ１がオーダ情報を受信又は入力された日時や受付番号、オーダ情報が生成された日時に関する情報が付与されている。
【００２２】
一般に、ＲＩＳ１とモダリティ２は比較的近い場所に設置されており、同一の撮影専門の技師がＲＩＳ１とモダリティ２とを操作する。撮影専門の技師は、ＲＩＳ１からのオーダ情報ｄ１をモダリティ２に送信する作業を行い、モダリティ２に送信されたオーダ情報ｄ１に基づいて、モダリティ２を操作して患者を実際に撮影する作業を行う。
【００２３】
モダリティ２は、患者を撮影して医用画像ｄ２を生成する医療装置であり、例えばＸ線撮影装置、ＭＲＩ装置、ＣＴ装置、超音波診断装置等がある。モダリティ２は、ＲＩＳ１からのオーダ情報ｄ１に基づいて医用画像ｄ２を生成する。モダリティ２は、生成された医用画像ｄ２に付帯情報を付帯させ、ＤＩＣＯＭ規格に則ったデータを生成し、当該生成したデータを検像装置３に送信する。
【００２４】
「付帯情報」は、患者情報、検査情報、シリーズ情報及びオブジェクト情報を含む。
患者情報及び検査情報は、オーダ情報ｄ１に含まれる患者情報及び検査情報と同様の情報である。シリーズ情報は、一つの検査の中で生成されるモダリティ毎の一連の医用画像の単位（シリーズ）や、一つの検査に対応する所見レポートに関する情報であり、例えば、シリーズを識別するシリーズＩＤ、シリーズ番号、モダリティ名、検査部位等の情報が含まれる。オブジェクト情報は、医用画像を識別するオブジェクトＩＤ、オブジェクト番号（画像番号やレポート番号）等の医用画像に関する情報である。
【００２５】
また、モダリティ２は、図１においては１つだけしか表記されていないがこれに限らず、モダリティ２及びこれに対応するＲＩＳ１を複数備えるとしてもよい。
また、ＲＩＳ１及びモダリティ２は、検像装置３からすれば、各種医用情報（オーダ情報ｄ１、医用画像ｄ２等）を検像装置３に対して送信する一つのシステムとしてとらえることができる。よって以下の説明では、ＲＩＳ１及びモダリティ２を総称して「情報処理システム１１」と表現する。なお、大規模医療機関の多くは、例えばＸ線撮影装置、ＭＲＩ装置、ＣＴ装置等のモダリティを複数備えており、複数の情報処理システム１１を備える。
【００２６】
検像装置３は、モダリティ２により生成された医用画像ｄ２を検像するための端末である。検像装置３は、撮影専門の技師とは異なる検像専門の技師により操作され、検像専門の技師によるチェックのためＲＩＳ１からのオーダ情報ｄ１及びモダリティ２からの医用画像ｄ２を画面上に表示する。検像装置３では、主として（１）ＲＩＳ１からのオーダ情報ｄ１とモダリティ２からの医用画像ｄ２との整合性があるか否か、及び、（２）モダリティ２からの医用画像ｄ２の画質が診断において許容できる範囲内であるか否か、についてについてチェックされる。
【００２７】
検像装置３は、医用画像を検像する前に、オーダ情報ｄ１に基づいて撮影された医用画像ｄ２を受信したか否か、即ち、モダリティによる医用画像ｄ２の送信忘れのチェックを行なう。
図２に、検像装置３の画面に表示される「医用画像の送信忘れの検出条件に関する情報」の一例を示す。
【００２８】
図２に示す画面は、「医用画像の送信忘れの検出条件に関する情報」の設定を受け付ける送信忘れ設定画面Ｇ１の一例である。図２に示すように、送信忘れ設定画面Ｇ１には、領域Ｅ１〜Ｅ３が設けられており、「医用画像の送信忘れの検出条件に関する情報」は、領域Ｅ１〜Ｅ３により設定される情報を含む。
【００２９】
領域Ｅ１では、モダリティによる医用画像の送信忘れの検出を行なう機能（送信忘れチェック機能）を使用するか否かの設定が行われる。
【００３０】
領域Ｅ２では、「医用画像の送信忘れの判定条件に関する情報」の設定が行われる。
「医用画像の送信忘れの判定条件に関する情報」としては、「開始時間」と、「特定時間」とが含まれる。「開始時間」は、送信忘れと判定するための計時を開始する日時を示す情報であり、例えば、オーダ情報を受信した日時、オーダ情報が生成された日時等が選択される。「特定時間」は、「開始時間」から計時する期間を示す情報である。「開始時間」から「特定時間」が経過しても医用画像を受信しない場合、医用画像の送信忘れありと判定される。
なお、図２に示す「特定時間」は、時間単位が「分」であるがこれに限らず、「日」、「時間」、「秒」等やこれらの組み合わせが選択可能であり、当該選択された時間単位によって定められてもよい。
【００３１】
領域Ｅ３は、領域Ｅ１においてチェックが入れられたときに有効となる。
領域Ｅ３では、医用画像の送信忘れが検出された場合に「連絡情報」を自動的に送信するか否かを示す「自動送信設定情報」の設定が行われる。
【００３２】
「連絡情報」は、オーダ情報に基づいて撮影された医用画像の送信忘れに関する情報を含む。「医用画像の送信忘れに関する情報」には、オーダ情報ｄ１や、オーダ情報に基づいて撮影された医用画像を当該医用画像を撮影したモダリティが送信し忘れていることを示す情報等が含まれている。
従って、領域Ｅ３は、「医用画像の送信忘れに関する情報」を含む「連絡情報」を送信するか否かの情報を受け付ける入力部としての機能を実現する。
【００３３】
領域Ｅ３においてチェックが入れられた場合、医用画像の送信忘れが検出されると、連絡情報が送信される装置を特定するための情報（以下、「連絡先情報」とも称す）に応じて、連絡情報が送信されることとなる。
【００３４】
図３に、検像装置の画面に表示される「連絡先情報」の一例を示す。
図３に示す画面は、連絡先情報の設定を行なう連絡先設定画面Ｇ２である。連絡先設定画面Ｇ２には、ステーションＡＥ欄Ｅ４と、選択されたステーションＡＥに対する通信設定欄Ｅ５とが設けられている。
【００３５】
ステーションＡＥ欄Ｅ４には、検像システム１０に設けられている各モダリティのステーションＡＥが予め登録されている。
【００３６】
通信設定欄Ｅ５には、連絡情報を送信する装置（連絡先）との通信を行なうために必要な情報が設定可能となっている。通信設定欄Ｅ５には、例えば、ステーションＡＥ欄Ｅ４において選択されたステーションＡＥによって識別されるモダリティが設けられている場所を示す連絡先名称、当該モダリティのＩＰアドレス、ＰＯＲＴ番号等が設定可能となっている。
従って、ステーションＡＥ毎に設定された通信設定欄の情報が「連絡先情報」となる。
【００３７】
なお、本実施の形態では、通信設定欄においてＩＰアドレスやＰＯＲＴ番号の設定が可能であることから、必ずしもステーションＡＥによって識別されるモダリティ２が連絡先に設定されるものではない。例えば、ステーションＡＥによって識別されるモダリティ２を操作する撮影専門の技師が使用する携帯用端末や所謂パーソナルコンピュータ等の装置のＩＰアドレスやＰＯＲＴ番号を設定することにより、当該装置を連絡先として設定することも可能である。
【００３８】
図４に、検像装置３の機能ブロック図を示す。
検像装置３は、制御部３１、操作部３２、表示部３３、通信部３４、記憶部３５等を備えて構成される。
【００３９】
制御部３１は、ＣＰＵ、ＲＡＭ、ＲＯＭ等を備えて構成され、ＣＰＵがＲＯＭに記憶されている各種プログラムをＲＡＭに展開し、ＲＡＭに展開された各種プログラムとの協働により検像装置３の動作を集中制御する。
【００４０】
操作部３２は、キーボードやマウス等を備えて構成され、検像専門の技師の操作により操作信号を生成してこれを制御部３１に出力する。
【００４１】
表示部３３は、ＬＣＤや有機ＥＬ等のディスプレイを備えて構成され、制御部３１からの制御信号に基づいて、医用画像ｄ２や各種操作画面を表示する。本実施形態では、表示部３３は、送信忘れ設定画面Ｇ１（図２参照）、連絡先設定画面Ｇ２（図３参照）、オーダ情報一覧画面Ｇ３（図６参照）等を表示する。
【００４２】
通信部３４は、通信用インターフェイス等を備えて構成され、情報処理システム１１からオーダ情報ｄ１及び医用画像ｄ２を受信する。また、通信部３４は、連絡先設定画面により設定された連絡先情報に基づいて特定された装置へ連絡情報を送信し、検像済み医用画像ｄ３をＰＡＣＳ４に送信する。
【００４３】
記憶部３５は、ＲＯＭ等の不揮発性メモリを備えて構成され、システムプログラム、各種処理プログラム等を記憶する。また、記憶部３５は、送信忘れ設定画面Ｇ１により設定された「医用画像の送信忘れの検出条件に関する情報」、連絡先設定画面Ｇ２により設定された「連絡先情報」、オーダ情報ｄ１、医用画像ｄ２、検像済み医用画像ｄ３等を記憶する。
【００４４】
ＰＡＣＳ４は、検像装置３により検像された検像済み医用画像ｄ３を記憶して一元管理する画像管理装置である。なお、「ＰＡＣＳ」とは、本来、「Picture Archiving and Communication System」の略であり放射線画像情報システムを意味するが、ここでは放射線画像情報システムを利用して検像済み医用画像ｄ３を一元管理する端末として説明する。
【００４５】
図５を参照して、検像装置３の送信忘れチェック処理について説明する。
検像装置３の送信忘れチェック処理は、オーダ情報ｄ１を受信した際に行われる処理である。なお、図２に示す送信忘れ設定画面Ｇ１の領域Ｅ１において、チェックが入れられ、送信忘れチェック機能を使用することが設定されているものとする。
【００４６】
制御部３１は、ＲＩＳ１からオーダ情報ｄ１を受信し（ステップＳ１）、受信したオーダ情報ｄ１に基づいて撮影された医用画像を受信したか否かを判断する（ステップＳ２）。
【００４７】
ステップＳ２では、制御部３１は、ステップＳ１において受信したオーダ情報ｄ１に含まれる患者情報及び検査情報と、通信部３４により受信される医用画像ｄ２の付帯情報とを照合し、ステップＳ１において受信したオーダ情報ｄ１に基づいて撮影された医用画像を受信したか否かを判断する。例えば、制御部３１は、オーダ情報ｄ１に含まれる患者情報及び検査情報と一致する情報を含む付帯情報の医用画像を受信した場合には、オーダ情報に基づいて撮影された医用画像を受信したと判断する。
【００４８】
オーダ情報ｄ１に基づいて撮影された医用画像ｄ２を受信した場合（ステップＳ２；Ｙ）、制御部３１は、本送信忘れチェック処理を終了する。
【００４９】
オーダ情報ｄ１に基づいて撮影された医用画像ｄ２を受信していない場合（ステップＳ２；Ｎ）、制御部３１は、記憶部３５に記憶されている「医用画像の送信忘れの検出条件に関する情報」に基づいて、「開始時間」からの経過時間をカウント（計時）し（ステップＳ３）、経過時間が「特定時間」以上であるか否かを判別する（ステップＳ４）。
【００５０】
経過時間が「特定時間」未満である場合（ステップＳ４；Ｎ）、制御部３１は、ステップＳ２の処理に移行する。経過時間が「特定時間」以上である場合（ステップＳ４；Ｙ）、制御部３１は、表示部３３に警告表示を行なう（ステップＳ５）。
【００５１】
図６に、ステップＳ５において、検像装置３の表示部３３の画面に表示される警告表示の一例を示す。図６に示す画面は、オーダ情報一覧画面Ｇ３である。
図６に示すように、オーダ情報一覧画面Ｇ３は、通信部３４により受信したオーダ情報ｄ１がリスト表示される。オーダ情報一覧画面Ｇ３は、オーダ情報ｄ１毎に、「オーダ受信日時」、「受付番号」、「画像受信状況」等の項目に対する情報や、オーダ情報ｄ１に含まれる患者情報や検査情報等が表示される。
【００５２】
「オーダ受信日時」は、オーダ情報ｄ１をＲＩＳ１が受信した日時情報である。「受付番号」は、オーダ情報ｄ１をＲＩＳ１が受け付けた際に、オーダ情報ｄ１に付与される番号である。
【００５３】
「画像受信情報」は、オーダ情報ｄ１に基づいて撮影された医用画像ｄ２を検像装置３が受信したか否かを示す情報である。「画像受信情報」が「未受信」の場合には、オーダ情報ｄ１に基づいて撮影された医用画像ｄ２を検像装置３が受信していないことを示す。「画像受信情報」が「未受信」と表示されることにより、検像専門の技師は、オーダ情報ｄ１に基づいて撮影された医用画像ｄ２を当該医用画像ｄ２を撮影したモダリティが送信していないと判断できる。
【００５４】
図６に示すオーダ情報一覧画面Ｇ３における警告表示は、医用画像を受信していないと判断されたオーダ情報ｄ１の「画像受信状況」の項目の情報が「未受信」となり、医用画像を受信していないと判断されたオーダ情報ｄ１のレコードの背景色が、医用画像を受信していないと判断されていないオーダ情報とは異なる背景色で表示される。
【００５５】
なお、医用画像を受信していないと判断されたオーダ情報のレコードを、医用画像を受信したと判断されたオーダ情報のレコードと異なる書式や書体の文字で表示したり、文字や背景を点滅して表示したりしてもよく、医用画像を受信したと判断されたオーダ情報とは異なる状態で表示さするものであれば、この限りではない。
【００５６】
また制御部３１は、オーダ情報に基づいて撮影された医用画像を受信していないと判断すると、記憶部３５に記憶されている連絡先情報を参照し、オーダ情報ｄ１に含まれているステーションＡＥに対して設定されている通信先情報に基づいて、連絡先情報に該当する装置（モダリティ２等）を連絡先として特定する（ステップＳ６）。
【００５７】
制御部３１は、記憶部３５に記憶されている「医用画像の送信忘れの検出条件に関する情報」に含まれる「自動送信設定情報」を参照し、連絡情報を自動的に送信するか否かを判別する（ステップＳ７）。連絡情報を自動的に送信しない場合（ステップＳ７；Ｎ）、制御部３１は、本送信忘れチェック処理を終了する。
【００５８】
連絡情報を自動的に送信する場合（ステップＳ７；Ｙ）、制御部３１は、特定した連絡先へ連絡情報を送信し（ステップＳ８）、本送信忘れチェック処理を終了する。
【００５９】
図７に、連絡情報を受信した装置（例えば、モダリティ２）に表示される画面の一例を示す。図７に示す画面は、連絡情報画面Ｇ４である。連絡情報画面Ｇ４には、連絡情報一覧領域Ｅ６、連絡情報表示領域Ｅ７、了解ボタンＢ１等が設けられている。
【００６０】
連絡情報一覧領域Ｅ６は、受信した連絡情報をリスト表示する領域である。
連絡情報一覧領域Ｅ６には、連絡情報毎に、連絡情報を受信した「受信日時」、患者情報（例えば、「患者ＩＤ」，「患者氏名」，「性別」等）、医用画像の送信忘れの有無を示す「連絡事項」、連絡情報を受信したことを検像装置３へ返信したか否か示す「返信」等の項目に対する情報が表示される。
連絡情報一覧領域Ｅ６内における網掛け部分Ｃ１は、操作部３２により選択された連絡情報である。操作部３２により選択されると、選択された連絡情報の背景が網掛けに切り替わって表示される。
【００６１】
連絡情報表示領域Ｅ７は、操作部３２により選択された網掛け部分Ｃ１の連絡情報を表示する領域である。連絡情報表示領域Ｅ７は、「連絡事項」が「送信忘れ」の場合、オーダ情報ｄ１に基づいて撮影された医用画像を送信し忘れていることを示す情報を示すメッセージＭを表示する。例えば、「当該検査の画像がまだ届いていません。送信忘れでしょうか？至急確認を行なってください。」等のメッセージＭが表示される。
【００６２】
了解ボタンＢ１は、連絡情報表示領域Ｅ７に表示されている連絡情報を、例えば、撮影専門の技師が確認した場合に選択されるボタンである。了解ボタンＢ１が選択されると、連絡情報表示領域Ｅ７に表示された連絡情報を受信したことを示す情報が検像装置３へ送信される。
【００６３】
以上のように、本実施形態によれば、検像装置３は、受信したオーダ情報ｄ１に基づいて撮影された医用画像ｄ２を受信しない場合、当該オーダ情報ｄ１に基づいて医用画像を撮影するモダリティ２を特定でき、当該特定したモダリティへ「医用画像の送信忘れに関する情報」を含む「連絡情報」を送信することができる。そのため、検像装置３側においてモダリティ２による医用画像ｄ２の送信忘れの検出、及び、医用画像ｄ２の送信忘れの通知が可能となり、モダリティによる医用画像の送信忘れの防止を図ることができる。
更に、モダリティ２による医用画像ｄ２の送信忘れがある場合において生じる患者が長時間診察を待つという問題を防止でき、診察待ちに関するクレームの削減を図ることができる。
【００６４】
また、オーダ情報ｄ１に含まれるステーションＡＥに基づいて、医用画像ｄ２を撮影するモダリティ２を特定でき、当該特定したモダリティ２へ「医用画像の送信忘れに関する情報」を含む「連絡情報」を送信することができる。
【００６５】
また、オーダ情報ｄ１を受信したとき、又は、オーダ情報ｄ１が生成されたとき等の「開始時間」、から予め設定された時間である「特定時間」が経過してもオーダ情報ｄ１に基づいて撮影された医用画像ｄ２を受信しない場合、オーダ情報ｄ１に基づいて撮影された医用画像ｄ２を当該医用画像ｄ２を撮影したモダリティが送信し忘れていると判断でき、「医用画像の送信忘れに関する情報」を含む「連絡情報」を送信することができる。
【００６６】
また、送信忘れ設定画面Ｇ１の領域Ｅ３により自動的に「医用画像の送信忘れに関する情報」を含む「連絡情報」を送信するか否かを検像専門の技師が設定できる。そのため、「連絡情報」を自動的に送信する設定とした場合には、検像専門の技師による「連絡情報」の送信の手間を省くこととができる。また、「連絡情報」を自動的に送信しない設定とした場合には、検像専門の技師が「連絡情報」を確認した後に手動にて送信することができる。
【００６７】
また、表示部３３に表示されるオーダ情報一覧画面Ｇ３において警告表示が表示されることから、「医用画像の送信忘れに関する情報」を表示することができる。
【００６８】
また、情報処理システム１１は、医用画像ｄ２をＤＩＣＯＭ通信により検像装置３に送信することができる。
【００６９】
また、情報処理システム１１を、オーダ情報ｄ１を検像装置３に送信するＲＩＳ１と、医用画像ｄ２を生成して検像装置３に送信するモダリティ２と、から構成することができる。
【符号の説明】
【００７０】
１  ＲＩＳ
２  モダリティ
３  検像装置
４  ＰＡＣＳ
１０  検像システム
１１  情報処理システム
３１  制御部
３２  操作部
３３  表示部
３４  通信部
３５  記憶部
Ｂ１  了解ボタン
Ｃ１  部分
ｄ１  オーダ情報
ｄ２   医用画像
ｄ３  検像済み医用画像
Ｅ１  領域
Ｅ２  領域
Ｅ３  領域
Ｅ４  ステーションＡＥ欄
Ｅ５  通信設定欄
Ｅ６  連絡情報一覧領域
Ｅ７  連絡情報表示領域
Ｇ１  送信忘れ設定画面
Ｇ２  連絡先設定画面
Ｇ３  オーダ情報一覧画面
Ｇ４  連絡情報画面
Ｍ  メッセージ
【図１】
2012133423.tif 000003
【図２】
2012133423.tif 000004
【図３】
2012133423.tif 000005
【図４】
2012133423.tif 000006
【図５】
2012133423.tif 000007
【図６】
2012133423.tif 000008
【図７】
2012133423.tif 000009